(57)【特許請求の範囲】
【請求項１】
点検口が形成された浴槽側エプロンと、浴槽側エプロンに着脱自在に取り付けられて前記点検口を覆う点検蓋と、浴槽側エプロンの洗い場側に配設されて前記浴槽側エプロン及び点検蓋の洗い場側を覆う着脱自在の化粧エプロンを備え、前記点検蓋に物品を収納するための収納部が形成された浴室構造であって、浴槽側エプロンの長手方向の両側に点検口が形成され、両点検口の夫々に点検蓋が設けられ、一方の点検蓋において点検口を覆う部分が、他方の点検蓋側に形成された収納部と、この収納部の洗い場側の端部から前記他方の点検蓋と反対側に突出した板状部とで構成され、且つ、前記他方の点検蓋において点検口を覆う部分が、収納部で構成され、化粧エプロンが、前記両点検蓋の収納部を覆う大エプロンと、前記他方の点検蓋の板状部を覆う小エプロンとで構成されたことを特徴とする浴室構造。
【発明の詳細な説明】
【技術分野】
【０００１】
本発明は浴槽側と洗い場側とをエプロンで仕切る浴室構造に関する。
【背景技術】
【０００２】
従来から図３及び図４に示す浴室が利用されている。この浴室は浴槽３、エプロン５、及び洗い場が夫々独立して形成された三分割タイプのものであって、エプロン５は、点検口８が形成された浴槽側エプロン９と、浴槽側エプロン９に着脱自在に取り付けられて点検口８を覆う点検蓋１０と、浴槽側エプロン９の洗い場側に配設される着脱自在の化粧エプロン１１を備えている。例えば特許文献１には、点検口が形成された浴槽側エプロンと、この洗い場側に配設される着脱自在の化粧エプロンとを備えて二重構造となったエプロンが開示されている。
【先行技術文献】
【特許文献】
【０００３】
【特許文献１】特開２００６−２３０５３３号公報
【発明の概要】
【発明が解決しようとする課題】
【０００４】
ところが前記図３及び図４に示される浴室構造にあっては、エプロン５とこの裏側に配設される浴槽３の側壁との間に存在する空間がデッドスペースとなる。また、一般的に浴室で利用される清掃用具等の物品は浴室以外の他の部屋に収納されるが、このようにすると他の部屋の収納スペースが狭まるだけでなく、浴室を清掃する際に浴室と他の部屋を行き来する必要があり、手間を要する。勿論、カウンターやトレイ等が設けられた浴室にあっては、これらに清掃用具等の物品を置くことはできるが、大型のカウンターやトレイ等を設けると浴室が狭く感じられ、また浴室に居る人からは清掃用具等の物品が見えて見栄えが良くない。
【０００５】
本発明は上記事情に鑑みてなされたものであって、エプロン裏側のスペースを清掃用具等の物品を収納するための収納スペースとして有効に利用できる浴室構造を提供することを課題とする。
【課題を解決するための手段】
【０００６】
上記課題を解決するために本発明の浴室構造は以下の構成を有する。点検口８が形成された浴槽側エプロン９と、浴槽側エプロン９に着脱自在に取り付けられて前記点検口８を覆う点検蓋１０と、浴槽側エプロン９の洗い場側に配設されて前記浴槽側エプロン９及び点検蓋１０の洗い場側を覆う着脱自在の化粧エプロン１１を備える。前記点検蓋１０に物品を収納するための収納部１５ａ、１５ｂが形成される。浴槽側エプロン９の長手方向の両側に点検口８が形成される。両点検口８の夫々に点検蓋１０が設けられる。一方の点検蓋１０ａにおいて点検口８を覆う部分が、他方の点検蓋１０ｂ側に形成された収納部１５ａと、この収納部１５ａの洗い場側の端部から前記他方の点検蓋１０ｂと反対側に突出した板状部１７とで構成され、且つ、前記他方の点検蓋１０ｂにおいて点検口８を覆う部分が、収納部１５ｂで構成される。そして、化粧エプロン１１が、前記両点検蓋１０ａ、１０ｂの収納部１５ａ、１５ｂを覆う大エプロン１９と、前記他方の点検蓋１０ｂの板状部１７を覆う小エプロン１８とで構成されたことを特徴とする。
【０００７】
このように点検蓋１０に収納部１５ａ、１５ｂを形成することで、従来デッドスペースとなっていたエプロン５裏側の空間を物品を収納するためのスペースとして有効に利用することができる。この場合、収納部１５ａ、１５ｂに収納した物品は化粧エプロン１１によって覆い隠すことができるので、物品を見栄え良く収納することができる。また、化粧エプロン１１を取り外すことにより収納部１５ａ、１５ｂに物品を出し入れすることができ、収納部１５ａ、１５ｂに清掃用具を収納すればこの清掃用具を利用して浴室の清掃を行うことができる。
【発明の効果】
【０００８】
本発明にあってはエプロン裏側のスペースを清掃用具等の物品を収納するための収納スペースとして有効に利用することができる。
【図面の簡単な説明】
【０００９】
【図１】本発明の実施形態の一例の浴室構造を示し、大エプロンを取り付ける前の状態を示す斜視図である。
【図２】同上の化粧エプロンを取り外した状態を示す斜視図である。
【図３】従来の浴室構造をなす部材の分解斜視図である。
【図４】同上の化粧エプロンの一部を取り付ける前の状態を示す斜視図である。
【発明を実施するための形態】
【００１０】
以下、本発明を添付図面に基づいて説明する。なお、本実施形態における浴室構造はエプロンの点検蓋１０に特徴があり、その他の基本的構造は図３で示される従来例と同様である。このため以下の説明では図１及び図２に図示されていない構成については図３を用いて説明する場合がある。
【００１１】
図１及び図２に示される本実施形態の浴室構造は、洗い場側及び浴槽側のうち洗い場側にのみ床パンが配置される床ハーフ方式の浴室ユニットに適用したものである。
【００１２】
浴室を構成する浴室ユニットは、床スラブ等の建物躯体床上に並べて設置される架台１（図３参照）及び洗い場パン２と、架台１上に設置される浴槽３と、浴室下部を浴槽３側と洗い場側とに仕切るエプロン５を備えている。また図示は省略するが、浴室ユニットはこの他に壁を構成する壁パネルや天井を構成する天井パネルを備えている。
【００１３】
洗い場パン２及び浴槽３は平面視で同一方向に長い略矩形状に形成され、並べて設置されている。洗い場パン２の浴槽３側の端縁には洗い場パン２上の水が浴槽３側に流出することを防止するための堰部６が洗い場パン２の長手方向に亘って立ち上げ形成されている。浴槽３の上縁には外方に突出するフランジ部７が周方向に亘って一体に形成され、洗い場側のフランジ部７にあっては洗い場側の縁部に化粧エプロン１１の上端部を係止するための垂下片部２０が形成されている。
【００１４】
エプロン５は浴槽３の洗い場側の一辺をなすフランジ部７から下方の堰部６までの範囲を覆うことで、浴槽３の洗い場側の側壁部を隠す。エプロン５は、点検口８（図３参照）が形成された浴槽側エプロン９と、浴槽側エプロン９に着脱自在に取り付けられて点検口８を覆う点検蓋１０と、浴槽側エプロン９の洗い場側に配設されて、浴槽側エプロン９及び点検蓋１０の洗い場側を覆う着脱自在の化粧エプロン１１とで構成され、点検蓋１０が取り付けられた浴槽側エプロン９と、化粧エプロン１１とで二重構造をなしている。
【００１５】
浴槽側エプロン９は例えば上端部を浴槽３のフランジ部７に係止すると共に下端部を洗い場パン２に係止することにより取り付けられ、洗い場パン２の長手方向に亘る。点検口８は浴槽側エプロン９の長手方向の両側に形成されている。各点検口８は洗い場側から浴槽３側を容易に保守・点検できるよう大きな開口面積を有し、浴槽側エプロン９の長手方向に長い矩形状に形成されている。
【００１６】
エプロン５は浴槽側エプロン９に形成された点検口８の数と同数の点検蓋１０を備え、一方の点検蓋１０が浴槽側エプロン９の長手方向の片側に取り付けられて一方の点検口８を閉塞し、他方の点検蓋１０が浴槽側エプロン９の長手方向の他側に取り付けられて他方の点検口８を閉塞する。
【００１７】
各点検口８を閉塞する点検蓋１０は、図２のように対応する点検口８を覆う覆い部１２と、覆い部１２の洗い場側の縁部から外方に突出する鍔部１３とで構成されている。
【００１８】
一方の点検蓋１０（以下、点検蓋１０ａと記載する）の覆い部１２（以下、覆い部１２ａと記載する）は、他方の点検蓋１０（以下、点検蓋１０ｂと記載する）側の半部を構成する矩形箱状の収納部１５ａと、収納部１５ａの洗い場側の端部から点検蓋１０ｂとは反対側の側方に突出する板状部１７とで構成されている。他方の点検蓋１０ｂの覆い部１２（以下、覆い部１２ｂと記載する）は洗い場側に開口する矩形箱状の収納部１５ｂで構成され、収納部１５ｂは収納部１５ａよりも大きい。各収納部１５ａ、１５ｂには清掃用具等の物品を洗い場側から収納できるようになっている。
【００１９】
各点検蓋１０ａ、１０ｂを浴槽側エプロン９に取り付けるには、洗い場側から鍔部１３を浴槽側エプロン９の点検口８の周縁部に当接すると共に、覆い部１２ａ、１２ｂを点検口８に挿通して浴槽側エプロン９よりも浴槽３側に突出させ、この状態で鍔部１３を洗い場側から複数のビス１６により浴槽側エプロン９に固着する。各点検蓋１０はビス１６を取り外すことで洗い場側から取り外せるようになっている。
【００２０】
図１のように化粧エプロン１１は、洗い場側から見て点検蓋１０ａ側に配置される小エプロン１８と、点検蓋１０ｂ側に配置される大エプロン１９とで構成されている。
【００２１】
小エプロン１８は、上部及び下部が浴槽側エプロン９に形成した係止部２１（図２参照）に着脱自在に係止されることで浴槽側エプロン９に取り付けられている。これによって小エプロン１８は点検蓋１０ａの板状部１７を含めた浴槽側エプロン９の長手方向の端部を洗い場側から覆い隠す。
【００２２】
大エプロン１９は小エプロン１８よりも長尺である。大エプロン１９は、上端部が前記フランジ部７の垂下片部２０に着脱自在に係止されると共に、下部が浴槽側エプロン９に設けられた係止具２２に着脱自在に係止され、これによって浴槽側エプロン９の小エプロン１８で覆われていない部分を覆う位置に配設され、収納部１５ａ及び点検蓋１０ｂを含む浴槽側エプロン９の点検蓋１０ａ側部分を洗い場側から覆い隠す。
【００２３】
エプロン５の浴槽３側を保守・点検する場合は、大エプロン１９のみ、或いは大エプロン１９及び小エプロン１８を取り外し、この後、点検蓋１０ａや点検蓋１０ｂを取り外す。これによって浴槽側エプロン９の点検口８を通してエプロン５裏の空間を視認したり作業を行ったりできる。保守・点検を終えた後は前記取り外した大エプロン１９や小エプロン１８を上記と同様に係止により所定位置に固定すればよい。
【００２４】
また大エプロン１９を取り外すことにより、収納部１５ａや収納部１５ｂを洗い場側に露出させ、これら収納部１５ａ、１５ｂに洗い場側から清掃用具等の物品を出し入れできるようになる。
【００２５】
このように本実施形態の浴室構造にあっては、点検蓋１０ａ、１０ｂに形成された収納部１５ａ、１５ｂに清掃用具等の物品を収納することができ、従来デッドスペースとなっていたエプロン５裏側の空間を物品を収納するためのスペースとして有効に利用することができる。収納部１５ａ、１５ｂに収納した物品は、この洗い場側に配設される着脱自在の化粧エプロン１１によって覆い隠すことができて見栄え良く収納することができる。さらに収納部１５ａ、１５ｂに清掃用具を収納した場合には、この清掃用具を利用して浴室の清掃を行うことができる。
【００２６】
なお、浴槽側エプロン９に形成される点検口８の数は上記２個に限定されるものではなく、一個であってもよいし、三個以上であってもよい。また、点検蓋１０の数も上記に限定されるものではなく、一枚であってもよいし、三枚以上であってもよい。また、本実施形態では化粧エプロン１１を小エプロン１８と大エプロン１９の二枚のエプロン分割体にて構成したが、化粧エプロン１１全体を一体に形成してもよいし、三以上のエプロン分割体で構成してもよい。また、本実施形態では点検蓋１０をビス１６により浴槽側エプロン９に着脱自在に取り付けたが、係止等のその他の取付方法によって点検蓋１０を浴槽側エプロン９に着脱自在に取り付けてもよい。また、浴槽側エプロン９の取付方法も上記係止に限定されるものではない。
【符号の説明】
【００２７】
８  点検口
９  浴槽側エプロン
１０  点検蓋
１１  化粧エプロン
１５ａ  収納部
１５ｂ  収納部
【図１】
0005525235.tif 000002
【図２】
0005525235.tif 000003
【図３】
0005525235.tif 000004
【図４】
0005525235.tif 000005